(57)【要約】【課題】充電効率の低下を抑制できる電子装置を提供する。【解決手段】電子装置は、測定された内部の温度に基づいて第１の表面温度を推定する温度推定手段と、外部から第２の表面温度を受信する第１の受信手段と、第１の表面温度及び第２の表面温度のいずれもが第１の設定温度より高い場合には自装置の発熱量を低下させる発熱制御を行い、第１の表面温度が第１の設定温度より高く、かつ、第２の表面温度が設定温度よりも低い場合には前記発熱制御を行わないように制御する第１の制御手段と、を備える。【選択図】図７
2014161149.tif 000002
【特許請求の範囲】
【請求項１】
測定された内部の温度に基づいて第１の表面温度を推定する温度推定手段と、
外部から第２の表面温度を受信する第１の受信手段と、
前記第１の表面温度及び前記第２の表面温度のいずれもが第１の設定温度より高い場合には自装置の発熱量を低下させる発熱制御を行い、前記第１の表面温度が前記第１の設定温度より高く、かつ、前記第２の表面温度が前記第１の設定温度よりも低い場合には前記発熱制御を行わない第１の制御手段と、
を備える電子装置。
【請求項２】
充電可能な二次電池と、
外部から供給された電力により前記二次電池を充電する第１の充電手段と、
をさらに備え、
前記発熱制御は、前記二次電池の充電電流の制限である、
ことを特徴とする請求項１に記載された電子装置。
【請求項３】
請求項２に記載された電子装置と、
前記電子装置の前記第１の充電手段に電力を供給する第２の充電手段、前記電子装置の表面温度を測定して前記第２の表面温度を算出する温度測定手段、及び、前記第２の表面温度を前記第１の受信手段に送信する第１の送信手段を備える充電装置と、
を備える充電システム。
【請求項４】
前記電子装置は、さらに、前記第１の表面温度と前記第１の設定温度との比較結果、及び、第２の設定温度を前記充電装置に送信する第２の送信手段を備え、
前記充電装置は、さらに、
前記電子装置を冷却する冷却手段と、
前記比較結果、及び、前記第２の設定温度を前記電子装置から受信する第２の受信手段と、
前記比較結果が第１の表面温度が前記第１の設定温度より高いことを示しているか、又は、前記第２の表面温度が第２の設定温度よりも高い場合には前記冷却手段を駆動し、前記比較結果が第１の表面温度が前記第１の設定温度以下であることを示しており、かつ、前記第２の表面温度が第２の設定温度以下である場合には前記冷却手段を停止するように前記冷却手段を制御する第２の制御手段と、
を備える、請求項３に記載された充電システム。
【請求項５】
前記電子装置は、さらに、外部のネットワークとの通信を行う通信手段を備え、
前記発熱制御は前記通信手段の電力消費の制限である、
ことを特徴とする請求項３又は４に記載された充電システム。
【請求項６】
外部のネットワークとの通信を行う通信手段をさらに備え、
前記発熱制御は前記通信手段の電力消費の制限である、
ことを特徴とする請求項１又は２に記載された電子装置。
【請求項７】
測定された内部の温度に基づいて第１の表面温度を推定し、
外部から第２の表面温度を受信し、
前記第１の表面温度及び前記第２の表面温度のいずれもが第１の設定温度より高い場合には自装置の発熱量を低下させる発熱制御を行い、前記第１の表面温度が前記第１の設定温度より高く、かつ、前記第２の表面温度が前記第１の設定温度よりも低い場合には前記発熱制御を行わないことを特徴とする、電子装置の制御方法。
【請求項８】
電子装置のコンピュータに、
測定された内部の温度に基づいて第１の表面温度を推定する手順、
外部から第２の表面温度を受信する手順、
前記第１の表面温度及び前記第２の表面温度のいずれもが第１の設定温度より高い場合には自装置の発熱量を低下させる発熱制御を行う手順、前記第１の表面温度が前記第１の設定温度より高く、かつ、前記第２の表面温度が前記第１の設定温度よりも低い場合には前記発熱制御を行わない手順、
を実行させるための電子装置の制御プログラム。
【発明の詳細な説明】
【技術分野】
【０００１】
本発明は、電子装置、電子装置の制御方法及び電子装置の制御プログラムに関し、特に、温度上昇による充電効率の低下を抑制可能な電子装置、電子装置の制御方法及び電子装置の制御プログラムに関する。
【背景技術】
【０００２】
近年、携帯電話などの携帯端末装置では、小型化や薄型化による部品実装の高密度化が進んでいる。一方で、並列処理や高速処理などによる多機能化、高機能化、及び、通信網の発達による通信速度の高速化により、携帯端末装置の消費電力も次第に増大している。その結果、発熱による携帯端末装置の温度上昇が大きな問題となっている。携帯端末装置では、特に、充電中に携帯端末装置を動作させることによる発熱が問題となる。
【０００３】
安全性に関する国際規格であるＩＥＣ６０９５０（国内：ＪＩＳ  Ｃ  ６９５０）において、情報処理機器の表面温度の上限が規定されている。従って、携帯端末装置は、この規格に準拠するために、表面温度が所定の温度より高温にならないような発熱対策を実施する必要がある。
【０００４】
一般的な携帯端末装置は、充電可能な二次電池（バッテリ）を電源として備えている。バッテリの充電中の発熱対策として、携帯端末装置には、装置の温度に応じて充電電流や通信速度を変化させる制御（以下、「発熱制御」という。）を行っているものがある。しかし、充電電流を低下させると、充電に関する回路やバッテリの発熱量は低下するが、充電に必要な時間が長くなる。また、通信速度を低下させると、送受信回路やデータ処理回路の発熱量は低下するが、データの転送に必要な時間が長くなる。すなわち、発熱制御には、充電効率や通信効率が悪化するという問題がある。
【０００５】
本発明に関連して、特許文献１は、携帯端末内の温度センサで検出された温度に基づいて予想温度を算出し、当該予想温度に基づいて充電電流を制御する、携帯端末の発熱対策方法を記載している。
【先行技術文献】
【特許文献】
【０００６】
【特許文献１】特開２００６−０２０４４６号公報
【発明の概要】
【発明が解決しようとする課題】
【０００７】
特許文献１に記載された発熱対策方法は、携帯端末装置内部の温度センサの測定値から求められた温度により充電電流を制御している。しかしながら、外気温度などの環境条件の変化により、携帯端末装置内部の温度センサから求めた温度と実際の表面温度とは、必ずしも一致しない。その結果、特許文献１に記載された発熱対策方法には、携帯端末装置の実際の表面温度が、発熱制御が必要となる温度にまで達していないにもかかわらず、発熱制御が実施されてしまうことにより、携帯端末装置の充電効率が低下するという課題がある。
【０００８】
（発明の目的）
本発明は、発熱による充電効率の低下を抑制できる電子装置、電子装置の制御方法及び電子装置の制御プログラムを提供することにある。
【課題を解決するための手段】
【０００９】
本発明の電子装置は、測定された内部の温度に基づいて第１の表面温度を推定する温度推定手段と、外部から第２の表面温度を受信する第１の受信手段と、前記第１の表面温度及び前記第２の表面温度のいずれもが第１の設定温度より高い場合には自装置の発熱量を低下させる発熱制御を行い、前記第１の表面温度が前記第１の設定温度より高く、かつ、前記第２の表面温度が前記設定温度よりも低い場合には前記発熱制御を行わない第１の制御手段と、を備える。
【００１０】
本発明の電子装置の制御方法は、測定された内部の温度に基づいて第１の表面温度を推定し、外部から第２の表面温度を受信し、前記第１の表面温度及び前記第２の表面温度のいずれもが第１の設定温度より高い場合には自装置の発熱量を低下させる発熱制御を行い、前記第１の表面温度が前記第１の設定温度より高く、かつ、前記第２の表面温度が前記第１の設定温度よりも低い場合には前記発熱制御を行わない。
【００１１】
本発明の電子装置の制御プログラムは、電子装置のコンピュータに、測定された内部の温度に基づいて第１の表面温度を推定する手順、外部から第２の表面温度を受信する手順、前記第１の表面温度及び前記第２の表面温度のいずれもが第１の設定温度より高い場合には自装置の発熱量を低下させる発熱制御を行う手順、前記第１の表面温度が前記第１の設定温度より高く、かつ、前記第２の表面温度が前記設定温度よりも低い場合には前記発熱制御を行わない手順、を実行させる。
【発明の効果】
【００１２】
本発明の電子装置、電子装置の制御方法及び電子装置の制御プログラムは、発熱による充電効率の低下を抑制できる。
【図面の簡単な説明】
【００１３】
【図１】第１の実施形態の充電システムを模式的に示した図である。
【図２】第１の実施形態の充電システムの構成を示すブロック図である。
【図３】第１の実施形態の充電システムの動作を示すフローチャートである。
【図４】第２の実施形態の充電システムの構成を示すブロック図である。
【図５】第２の実施形態の充電システムの動作を示すフローチャートである。
【図６】第３の実施形態の電子装置の構成を示すブロック図である。
【図７】第４の実施形態の電子装置の構成を示すブロック図である。
【発明を実施するための形態】
【００１４】
（第１の実施形態）
本発明の第１の実施形態について以下に説明する。図１は、本発明の第１の実施形態の充電システム１００を模式的に示した図である。充電システム１００は、携帯端末装置１０１及び充電装置１０２を備える。携帯端末装置１０１は、携帯電話等の通信機能を備えた電子装置である。携帯端末装置１０１が充電装置１０２に戴置されると、充電装置１０２に備えられた充電部２２及び携帯端末装置１０１に備えられた図示されない充電部との電磁的な結合により、電気的な接点を介することなく携帯端末装置１０１の二次電池（バッテリ）が充電装置１０２によって充電される。
【００１５】
充電装置１０２は、携帯端末装置１０１が戴置される面に、複数の温度センサ２４を備える。温度センサ２４は、充電装置１０２に戴置された携帯端末装置１０１の表面温度を測定できるように配置される。充電装置１０２は、Ｂｌｕｅｔｏｏｔｈ（登録商標）やＮＦＣ（Ｎｅａｒ  Ｆｉｅｌｄ  Ｃｏｍｕｎｉｃａｔｉｏｎ）といった近距離無線通信技術を用いて、温度センサ２４が測定した温度（実測表面温度）を携帯端末装置１０１に通知する。
【００１６】
図２は、第１の実施形態の充電システム１００の構成を示すブロック図である。図２には、図１に示された携帯端末装置１０１及び充電装置１０２の内部の構成が、ブロック図として記載されている。携帯端末装置１０１は、携帯電話機としての機能を備えているが、図２では本発明と関連しない機能のブロック図の記載は省略されている。
【００１７】
携帯端末装置１０１は、制御部１０、温度制御部１１、温度センサ１２、充電制御部１３、二次電池１４、充電部１５、記憶部１６、遠距離無線制御部１７、近距離無線制御部１８を備える。
【００１８】
充電装置１０２は、制御部２０、充電制御部２１、充電部２２、温度監視部２３、温度センサ２４、近距離無線制御部２５を備える。
【００１９】
まず、携帯端末装置１０１の各部の機能について説明する。制御部１０は、携帯端末装置１０１の各部を制御する。制御部１０は、ＣＰＵ（central processing unit）を備えていてもよく、携帯端末装置１０１の内部に記憶されたプログラムにより、以下に説明する各部の機能を実現させてもよい。
【００２０】
温度センサ１２は、携帯端末装置１０１内部の温度を測定し、測定された温度を温度制御部１１に通知する。温度センサ１２は、１台の携帯端末装置１０１内部に複数設置されていてもよい。例えば、温度センサ１２は、携帯端末装置１０１内部の二次電池１４、制御部１０及び遠距離無線制御部１７などの発熱箇所の近傍に設けられる。ただし、温度センサ１２が配置される場所は、これらに限られない。温度制御部１１は、温度センサ１２で測定された温度に基づいて、携帯端末装置１０１の表面温度を推定した結果を、推定表面温度として制御部１０に出力する。
【００２１】
推定表面温度は、例えば、内部温度の平均値や、内部温度の過去の時間的推移に基づいて算出される。しかし、推定表面温度の算出方法は、これらに限定されない。
【００２２】
制御部１０は、温度制御部１１から出力される推定表面温度、及び、充電装置１０２から受信された携帯端末装置１０１の実測表面温度を取得する。実測表面温度は、後述するように、充電装置１０２の温度センサ２４で測定された温度に基づいて算出された温度である。
【００２３】
記憶部１６は、第１の設定温度を記憶する。制御部１０は、第１の設定温度と、推定表面温度及び実測表面温度のそれぞれと、の比較結果に基づいて、発熱制御の実施の要否を判定する。発熱制御としては、二次電池１４への充電電流を制御する充電制御及び遠距離無線制御部１７の通信速度を制御する通信制御がある。
【００２４】
充電部１５は、充電装置１０２が備える充電部２２と電磁的に結合するコイルである。二次電池１４を充電するための電力は、充電部２２との間の電磁誘導により充電部１５に誘起される。充電制御部１３は、充電部１５において誘起された電力を用いて、二次電池１４を充電する。充電制御部１３は、充電制御として、二次電池１４への充電電流の制御や充電の停止といった制御を行う。
【００２５】
遠距離無線制御部１７は、ＬＴＥ（Long Term Evolution）、Ｗ−ＣＤＭＡ（Wideband-Code Division Multiple Access）などの３Ｇ（3rd Generation）通信網との通信インタフェースである。遠距離無線制御部１７は、通信制御として、通信スループットの制御や送信パワーの制御、通信の停止などの制御を行う。
【００２６】
近距離無線制御部１８は、ＢｌｕｅｔｏｏｔｈやＮＦＣなどの通信技術を用い、充電装置１０２から携帯端末装置１０１の表面温度情報を取得し、制御部１０に通知する。
【００２７】
続いて、充電装置１０２の各部の機能について説明する。充電装置１０２は、制御部２０、充電制御部２１、充電部２２、温度監視部２３、温度センサ２４及び近距離無線制御部２５を備える。
【００２８】
制御部２０は、充電装置１０２の各部を制御する。制御部２０は、ＣＰＵを備え、充電装置１０２の内部に記憶されたプログラムにより、以下に説明する各部の機能を実現させてもよい。
【００２９】
温度センサ２４は、携帯端末装置１０１が戴置される面に設けられ、戴置された携帯端末装置１０１と接触する点の温度を温度監視部２３に通知する。温度監視部２３は、温度センサ２４で測定された携帯端末装置１０１の表面温度に基づいて、実測表面温度を算出し、算出された実測表面温度を制御部２０に通知する。実測表面温度の算出手段は特に限定されない。例えば、複数の温度センサ２４で測定された温度の最大値、最小値及び平均値のいずれかを実測表面温度としてもよい。
【００３０】
近距離無線制御部２５は、制御部２０の指示により、ＢｌｕｅｔｏｏｔｈやＮＦＣなどの近距離通信技術によって、実測表面温度を携帯情報端末１０１に通知する。
【００３１】
充電制御部２１は、充電部２２と充電部１５との間の電磁的な結合により、携帯端末装置１０１に対して充電のための電力を供給する。
【００３２】
充電部２２は、携帯端末装置１０１が備える充電部１５と電磁的に結合するコイルである。充電部２２には、二次電池１４を充電するための電力が充電制御部２１から供給される。充電部２２に供給された電力は、電磁誘導により、充電部１５において誘起される。
【００３３】
また、充電制御部１３及び２１は、瞬間的に充電部１５又は２２に充電電流を流した際の充電電流の状態によって、充電部２２と充電部１５とが電磁的に結合しているかどうか、すなわち、携帯端末装置１０１が充電装置１０２に戴置されているかどうかを認識できる。
【００３４】
このような構成により、携帯端末装置１０１は、携帯端末装置１０１の内部で測定された温度のみならず、充電装置１０２で測定された温度にも基づいて、発熱制御を行うことができる。その手順について以下に説明する。
【００３５】
（動作の説明）
図３は、第１の実施形態の充電システム１００の動作を示すフローチャートである。充電装置１０２の表面に携帯端末装置１０１が戴置される（図３のステップＳ１及びＳ５１）と、充電部２２から充電部１５へ電力が伝達され、二次電池１４の充電が開始される。
【００３６】
ステップＳ２において、携帯端末装置１０１の制御部１０は、温度制御部１１にて算出された推定表面温度と、記憶部１６に記憶されている第１の設定温度とを比較する。推定表面温度が第１の設定温度よりも高い場合（ステップＳ２：Ｙ）には、手順はステップＳ３に遷移する。また、推定表面温度が第１の設定値よりも低い場合（ステップＳ２：Ｎ）には、手順はステップＳ５に遷移する。
【００３７】
ステップＳ３において、制御部１０は、実測表面温度を通知するように充電装置１０２に対して要求し、充電装置１０２から実測表面温度を取得すると手順をＳ４に遷移させる。
【００３８】
ステップＳ４において、制御部１０は、充電装置１０２から取得した実測表面温度と、第１の設定温度とを比較する。そして、実測表面温度が第１の設定温度よりも低い場合（ステップＳ４：Ｎ）には、制御部１０は、手順をステップＳ５に遷移させる。
【００３９】
ステップＳ５では、発熱制御は実施されない。また、ステップＳ５では、すでに発熱制御が実施されている場合には、制御部１０は、発熱制御を停止する。
【００４０】
ステップＳ４において、実測表面温度が第１の設定温度よりも高い場合（ステップＳ４：Ｙ）には、制御部１０は、温度上昇を抑制するための発熱制御を実施する（ステップＳ６）。
【００４１】
ステップＳ６において、制御部１０は、発熱制御として、充電制御及び通信制御を実施する。充電制御では、充電制御部１３に対して、充電電流の制限や充電の停止が指示される。通信制御では、遠距離無線制御部１７に対して、通信速度の低下や通信の停止が指示される。
【００４２】
なお、ステップＳ６において、携帯端末装置１０１の二次電池１４が充電中でない場合には充電制御は行われない。また、ステップＳ６において、携帯端末装置１０１の遠距離無線制御部１７が通信中でない場合には、通信制御は行われない。すなわち、ステップＳ６においては、携帯端末装置１０１の二次電池１４が充電中であるか、携帯端末装置１０１の遠距離無線制御部１７が通信中の場合に発熱制御が行われる。
【００４３】
このような充電制御や通信制御により、制御部１０は、携帯端末装置１０１の表面温度の上昇の抑制を図る。ステップＳ６の発熱制御が実施された後は、手順はステップＳ９に遷移する。
【００４４】
このように、ステップＳ６の発熱制御は、携帯端末装置１０１の内部の温度に基づく推定表面温度が第１の設定温度よりも高く、かつ、充電装置１０２で測定された実測表面温度が第１の設定温度よりも高い場合にのみ、実行される。すなわち、推定表面温度が第１の設定温度を超えていても、実測表面温度が第１の設定温度以下であれば、発熱制御は実行されない。
【００４５】
ステップＳ７では、二次電池１４の充電状態が確認される。二次電池１４が充電満了状態であれば（ステップＳ７：Ｙ）、制御部１０は、二次電池１４への充電を終了させ（ステップＳ８）、手順をステップＳ９へ遷移させる。二次電池１４の充電が満了していない場合には（ステップＳ７：Ｎ）、手順はステップＳ２の直前に遷移し、ステップＳ２以降の手順が継続される。
【００４６】
ステップＳ９では、携帯端末装置１０１が充電装置１０２に戴置されているかどうかの確認（以下、「戴置確認」という。）が行われる。戴置確認は、例えば、携帯端末装置１０１の充電部１５に短時間の電流を流し、充電部１５及び２２が電磁的に結合しているか否かによる充電電流の状態の違いを検出することにより行われる。携帯端末装置１０１の戴置が確認された場合には（ステップＳ９：Ｙ）、ステップＳ２以降の手順が繰り返される。携帯端末装置１０１の戴置が確認されなかった場合は、携帯端末装置１０１は充電装置１０２と切り離されたと判断され、図３の手順は終了する。
【００４７】
図３の手順では、充電の終了後も引き続き充電装置１０２に戴置されている場合には、ステップＳ２以降の手順が繰り返される。その結果、充電の終了後も、制御部１０や遠距離無線制御部１７といった、通信のために高温になりやすい部分の温度上昇がステップＳ２及びＳ４で監視され、必要に応じて発熱制御が行われる。
【００４８】
一方、充電装置１０２においては、ステップＳ５１〜Ｓ５３の手順が実行される。充電装置１０２の温度監視部２３は、携帯端末装置１０１が戴置される（ステップＳ５１）と、温度センサ２４による温度測定を開始する。そして、ステップＳ５２において、充電装置１０２は、携帯端末装置１０１からの要求（ステップＳ３）があると、温度監視部２３において算出された実測表面温度を、携帯端末装置１０１に通知する。
【００４９】
なお、ステップＳ３及びＳ５２における、携帯端末装置１０１と充電装置１０２との間の通信は、近距離無線制御部１８及び２５によって行われる。
【００５０】
ステップＳ５３において、制御部２０は、携帯端末装置１０１の戴置確認を実施する。戴置確認は、携帯端末装置１０１のステップＳ９と同様の手順で行うことができる。携帯端末装置１０１が充電装置１０２に戴置されている場合には（ステップＳ５３：Ｙ）、手順はステップ５２に遷移し、携帯端末装置１０１が戴置されなくなった場合（ステップＳ５３：Ｎ）には、図３の手順を終了する。
【００５１】
以上のように、本発明の第１の実施形態の充電システム１００では、携帯端末装置１０１内の温度センサ１２による温度測定のみならず、充電装置１０２においても温度センサ２４による携帯端末装置１０１の表面温度の測定が行われる。そして、携帯端末装置１０１は、自身で算出した温度（推定表面温度）と充電装置１０２から通知された温度（実測表面温度）とに基づいて発熱制御を実施するかどうかを判断する。
【００５２】
そして、推定表面温度が第１の設定温度よりも高い場合であっても、実測表面温度が第１の設定温度よりも低い場合には、携帯端末装置１０１は、充電電流の制限や通信速度の制限といった発熱制御を行わない。すなわち、携帯端末装置１０１は、推定表面温度と実測表面温度との間に差があり、推定表面温度が、発熱制御の必要な温度（第１の設定温度）を超えている場合であっても、実測表面温度が第１の設定温度を超えていない場合には、発熱制御を行わない。このため、充電システム１００においては、必要のない場合に充電制御が行われることが回避される結果、発熱による充電効率及び通信効率の低下を抑制できる。
【００５３】
また、充電システム１００は、充電終了後に、戴置されている携帯端末装置１０１の推定表面温度が第１の設定値を超えた場合でも、実測表面温度が第１の設定値以下であれば通信制御を行わない。その結果、充電システム１００は、通信によって携帯端末装置１０１の温度上昇が生じた場合に、必要のない場合の通信制御が回避される結果、通信効率を改善することができる。
【００５４】
なお、ステップＳ１及びＳ５１において携帯端末装置１０１が充電装置１０２に戴置された後、ステップＳ９及びＳ５３の戴置確認は、任意の時点で行われてもよい。この場合、携帯端末装置１０１の戴置が確認されなかった時点で、図３のシーケンスの実行は終了する。再度、携帯端末装置１０１が充電装置１０２に戴置されたことが確認されると、ステップＳ１及びＳ５１から図３の手順が再開される。
【００５５】
（第２の実施形態）
次に、本発明の第２の実施形態について、図４、図５を参照して説明する。図４は、第２の実施形態の充電システム２００の構成を示すブロック図である。充電システム２００は、携帯端末装置１０１と、充電装置１０３とを備える。充電システム２００における、携帯端末装置１０１の構成は図２と同様である。また、図２に示した第１の実施形態の充電装置１０２と比較して、第２の実施形態の充電装置１０３は、記憶部２６、冷却ファン制御部２７及び冷却ファン２８をさらに備える点で相違している。なお、図４において、図２と同様の機能を備えるブロックには同一の参照符号を付して、詳細な説明は省略する。
【００５６】
図４に示す携帯端末装置１０１は、記憶部１６に、冷却ファン２８の駆動の判断に用いられる設定温度（以下、「第２の設定温度」という。）を記憶している。第２の設定温度は、近距離無線制御部１８及び２５を経由して、充電装置１０３の記憶部２６に転送される。
【００５７】
充電装置１０３の制御部２０は、推定表面温度と第１の設定温度との比較結果、及び、実測表面温度と第２の設定温度との比較結果に基づいて冷却ファン２８を制御する。
【００５８】
冷却ファン２８は、充電装置１０３に戴置された携帯端末装置１０１を、冷却風により冷却する。そして、冷却ファン２８による冷却の結果、携帯端末装置１０１の表面温度の上昇が抑制される結果、充電効率及び通信効率が改善される。
【００５９】
第２の実施形態の充電システム２００の動作手順について説明する。図５は、第２の実施形態の充電システム２００の動作を示すフローチャートである。図５に示すフローチャートは、図３で説明したフローチャートと比較して、ステップＳ１Ａ、Ｓ３Ａ、Ｓ５１Ａ及びＳ５２Ａ〜Ｓ５２Ｃがさらに設けられている。図５において、第１の実施形態の図３と同様の手順には同一のステップ符号を付して、ここでは図３との差分について主に説明する。
【００６０】
ステップＳ１の後、ステップＳ１Ａにおいて、制御部１０は、記憶部１６に記憶されている第２の設定温度を、充電装置１０３へ通知する。そして、制御部１０は、推定表面温度と第１の設定温度とを比較する（ステップＳ２）。なお、第２の設定温度は、あらかじめ記憶部２６に記憶されていてもよい。
【００６１】
ステップＳ２においては、図３と同様に、推定表面温度と第１の設定温度とが比較される。すなわち、推定表面温度が第１の設定温度よりも高い場合（ステップＳ２：Ｙ）には手順はＳ３に分岐され、推定表面温度が第１の設定温度以下である場合（ステップＳ２：Ｎ）には、手順はＳ５へ分岐される。
【００６２】
ステップＳ３において、制御部１０は、実測表面温度を取得し、手順をＳ３Ａに遷移させる。ステップＳ３Ａにおいて、制御部１０は、充電装置１０３に対して冷却ファン２８の駆動を要求し、手順をステップＳ４に遷移させる。ステップＳ４〜ステップＳ６では、図３と同様に、実測表面温度と第１の設定温度との比較結果に基づいて発熱制御（すなわち充電制御及び通信制御）の実施又は停止が行われる。なお、ステップＳ３Ａは、ステップＳ３の直前に実行されてもよい。
【００６３】
ステップＳ６の発熱制御は、第１の実施形態の充電システム１００と同様に、携帯端末装置１０１の内部の温度に基づく推定表面温度が第１の設定温度よりも高く、かつ、充電装置１０３で測定された実測表面温度が第１の設定温度よりも高い場合にのみ、実行される。すなわち、推定表面温度が第１の設定温度を超えていても、実測表面温度が第１の設定温度以下であれば、発熱制御は実行されない。
【００６４】
そして、第２の実施形態の充電システム２００では、ステップＳ６において発熱制御が行われる場合には、ステップＳ３Ａの手順により、冷却ファン２８が駆動されている。このため、充電システム２００は、実測表面温度が高い場合でも、冷却ファンに２８により携帯端末装置１０１の放熱が促進される。そして、冷却の結果、発熱制御が必要となる場合が少なくなるため、発熱制御による充電効率や通信効率の低下が抑制される。
【００６５】
続いて、充電装置１０３の動作手順について図５のフローチャートを用いて説明する。
【００６６】
充電装置１０３の制御部２０は、携帯端末装置１０１のステップＳ１Ａにおいて通知された第２の設定温度を近距離無線制御部２５で受信し、記憶部２６に記憶させる（ステップＳ５１Ａ）。そして、充電装置１０３は、携帯端末装置１０１からの要求（ステップＳ３）があると、温度監視部２３において算出された実測表面温度を、携帯端末装置１０１に通知する（ステップＳ５２）。
【００６７】
ステップＳ５２Ａにおいて、制御部２０は、携帯端末装置１０１のステップＳ３Ａにおける冷却ファン２８の駆動要求の有無、並びに、実測表面温度と第２の設定温度との比較結果に基づいて、冷却ファン２８を駆動するかどうかを判断する。
【００６８】
具体的には、制御部２０は、以下の（条件１）及び（条件２）のいずれかが満たされる場合に（ステップＳ５２Ａ：駆動）、冷却ファン制御部２７に、冷却ファン２８を駆動するよう指示する（ステップＳ５２Ｂ）。
（条件１）携帯端末装置１０１のステップＳ３Ａにおいて、携帯端末装置１０１から冷却ファン２８の駆動要求があった場合。すなわち、推定表面温度が第１の設定値を越えている場合。
（条件２）実測表面温度が第２の設定温度を越えている場合。
【００６９】
一方、制御部２０は、上記の（条件１）及び（条件２）の両方がいずれも満たされない場合に（ステップＳ５２Ａ：停止）、冷却ファン制御部２７に、冷却ファン２８を停止するよう指示する（ステップＳ５２Ｃ）。
【００７０】
すなわち、推定表面温度が、発熱制御を行う閾値である第１の設定値を越えているか、実測表面温度が、冷却ファン２８を駆動させる閾値である第２の設定値を越えている場合に、冷却ファン２８による携帯端末装置１０１の冷却が開始される。
【００７１】
一方、冷却ファン２８は、推定表面温度が第１の設定値以下となり、かつ、実測表面温度が第２の設定値以下となった場合に停止する。
【００７２】
ステップＳ５２Ｂ又はＳ５２Ｃで冷却ファンの制御が行われた後、手順は、ステップＳ５３に遷移する。ステップＳ５３では、戴置確認が行われる。この手順は図３と同様であるので、説明は省略する。
【００７３】
以上に説明した充電システム２００は、充電システム１００と同様に、携帯端末装置１０１の発熱による充電効率及び通信効率の低下を抑制できる。さらに、充電システム２００は、充電終了後の通信による携帯端末装置１０１の温度変化に対しても、効率よく通信制御を実施することができる。
【００７４】
さらに、以上の手順によれば、充電システム２００では、携帯端末装置１０１に対する冷却ファン２８による冷却は、推定表面温度が第１の設定値以下となり、かつ、実測表面温度が第２の設定値以下となるまで継続される。このため、充電制御により充電が停止し、あるいは通信制御により通信速度が低下した結果、推定表面温度が低下した場合でも、推定表面温度及び実測表面温度の一方がそれぞれ第１及び第２の設定温度を超えている場合には引き続き冷却が行われる。その結果、充電システム２００では、充電システム１００と比較して、携帯端末装置１０１の放熱が促進され、充電効率及び通信効率が一層改善される。
【００７５】
また、第２の実施形態の充電システム２００は、冷却ファンの風を携帯端末装置１０１の全体に当てることにより、携帯端末装置１０１の一部分だけではなく全体を効果的に冷却することが可能になる。
【００７６】
第２の実施形態においては、発熱制御を実施する判断に用いられる第１の設定温度と、冷却ファン２８の駆動の判断に用いられる第２の設定温度が用いられる。これらの関係は特に規定されない。例えば、第１の設定温度と、第２の設定温度とは同一でもよい。あるいは、第２の設定温度を第１の設定温度よりも高くすることで、冷却ファン２８が駆動される温度がより高くなる。この場合、第１の設定温度と、第２の設定温度とを同一とした場合と比較して、発熱制御時の冷却ファン２８による電力消費の増加を抑制できる。
【００７７】
なお、第２の実施形態において、冷却ファン２８の駆動の判断（ステップＳ５２Ａ）は充電装置１０３で行われている。しかし、ステップＳ５２Ａの手順を携帯端末装置１０１で実施し、その結果を近距離無線制御部１８、２５により充電装置１０３に通知し、ステップＳ５２Ｂ及びＳ５２Ｃのみを充電装置１０３で実施してもよい。
【００７８】
さらに、図３及び図５に示したフローチャートのステップＳ９及びＳ５３においては、携帯端末装置１０１の戴置確認のために、充電部１５又は２２に短時間の電流が流されるとした。しかし、近距離無線制御部１８及び２５の間で通信が可能である場合に、携帯端末装置１０１が戴置されているとの判断が行われてもよい。
【００７９】
また、温度が第１の設定温度付近でゆらぐことにより充電制御の開始と停止とが繰り返されることを防ぐために、充電制御の開始が判断される際の第１の設定温度を、充電制御の停止が判断される際の第１の設定温度よりも高く設定してもよい。同様に、冷却ファン２８の駆動の開始が判断される際の第２の設定温度を、冷却ファンの停止が判断される際の第２の設置温度よりも高くしてもよい。
【００８０】
（第３の実施形態）
図６は、本発明の第３の実施形態の電子装置３０１の構成を示すブロック図である。電子装置３０１は、温度推定部３０２と、受信部３０３と、バッテリ３０４と、充電部３０５と、制御部３０６と、を備える。
【００８１】
温度推定部３０２は、電子装置３０１の内部の温度を測定し、測定された温度に基づいて第１の表面温度を推定する。受信部３０３は、外部から第２の表面温度を取得する。
【００８２】
バッテリ３０４は、電子装置３０１に電力を供給する二次電池である。充電部３０５は、外部から供給された電力によりバッテリ３０４を充電する。
【００８３】
制御部３０６は、第１の表面温度及び第２の表面温度のいずれもが所定の設定温度より高い場合にはバッテリ３０４の充電電流を制限する。電子装置３０１においては、このような充電電流の制限により、発熱量が低下する。また、制御部３０６は、第１の表面温度が第１の設定温度より高く、かつ、第２の表面温度が当該設定温度よりも低い場合には、充電電流の制限を行わない。
【００８４】
電子装置３０１は、このような構成を備えることにより、推定された第１の表面温度が所定の設定温度を超えている場合でも、外部から取得した第２の表面温度が所定の設定温度以下である場合には、充電電流を制限しない。このため、第３の実施形態の電子装置は、第１の表面温度のみに基づいて充電電流を制限する場合と比較して、発熱により充電電流が制限されることによる、充電効率の低下を抑制できる。
【００８５】
（第４の実施形態）
図７は、本発明の第４の実施形態の電子装置の構成を示すブロック図である。電子装置４０１は、温度推定部４０２と、受信部４０３と、制御部４０４と、を備える。
【００８６】
温度推定部４０２は、測定された内部の温度に基づいて第１の表面温度を推定する。受信部４０３は、外部から第２の表面温度を受信する。制御部４０４は、第１の表面温度及び第２の表面温度のいずれもが第１の設定温度より高い場合には電子装置４０１の発熱量を低下させる発熱制御を実施する。また、制御部４０４は、第１の表面温度が第１の設定温度より高く、かつ、第２の表面温度が第１の設定温度よりも低い場合には、上記の発熱制御を実施しない。
【００８７】
電子装置４０１は、このような構成を備えることにより、推定された第１の表面温度が所定の設定温度を超えている場合でも、外部から取得した第２の表面温度が当該設定温度以下である場合には、発熱制御を行わない。このため、第４の実施形態の電子装置４０１は、第１の表面温度のみに基づいて発熱制御を実施する場合と比較して、発熱量の制限による、電子装置の機能の低下を抑制できる。例えば、電子装置４０１は、発熱による充電電流の制限や通信速度の低下による充電効率や通信効率の低下を抑制できる。
【００８８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００８９】
１００、２００  充電システム
１０、２０、３０６、４０４  制御部
１１  温度制御部
１２、２４  温度センサ
１３、２１  充電制御部
１４  二次電池
１５、２２、３０５  充電部
１６、２６  記憶部
１７  遠距離無線制御部
１８、２５  近距離無線制御部
２３  温度監視部
３０１、４０１  電子装置
３０２、４０２  温度推定部
３０３、４０３  受信部
３０４  バッテリ
【図１】
2014161149.tif 000003
【図２】
2014161149.tif 000004
【図３】
2014161149.tif 000005
【図４】
2014161149.tif 000006
【図５】
2014161149.tif 000007
【図６】
2014161149.tif 000008
【図７】
2014161149.tif 000009